(57)【要約】【課題】ケースに収納された基板に対して外力が加えられた場合の基板の撓みを抑えることができるセンサ装置及び照明器具を提供する。【解決手段】センサ装置１は、ケース４と、ケース４に収納される基板５とを備える。ケース４は、基板５を支持する支持体２と、支持体２に支持された基板５を覆うように支持体２に取り付けられるカバー３とを含む。支持体２は、基板５の周縁部において基板５を支持する支持部２１１を有する。カバー３は、合成樹脂からなり、基板５の第１面５１と対向する底面部３１と、底面部３１の端縁から基板５側に突出する第１側面部３２及び第２側面部とで箱状に形成される。底面部３１は、基板５側に突出し支持体２にカバー３を取り付けた状態において基板５の第１面５１に接触又は近接する１以上の突起部３１３を有する。【選択図】図６
2018100909.tif 000002
【特許請求の範囲】
【請求項１】
ケースと、
前記ケースに収納される基板とを備え、
前記基板は、少なくともセンサ素子が実装される第１面と、前記第１面と反対側の面であって少なくとも外部からの給電を受けるためのコネクタが実装される第２面とを有し、
前記ケースは、前記基板を支持する支持体と、前記支持体に支持された前記基板を覆うように前記支持体に取り付けられるカバーとを含み、
前記支持体は、前記基板の周縁部において前記基板を支持する支持部を有し、
前記カバーは、合成樹脂からなり、前記基板の前記第１面と対向する底面部と、前記底面部の端縁から前記基板側に突出する側面部とで箱状に形成され、
前記底面部は、前記基板側に突出し前記支持体に前記カバーを取り付けた状態において前記基板の前記第１面に接触又は近接する１以上の突起部を有している
ことを特徴とするセンサ装置。
【請求項２】
前記１以上の突起部のうち少なくとも１つは、前記基板の厚み方向において前記コネクタに重なる位置又は前記コネクタの近傍となる位置に設けられている
ことを特徴とする請求項１に記載のセンサ装置。
【請求項３】
前記支持体は、前記基板の前記第２面と対向する対向部と、前記対向部の端縁から前記基板と反対側に突出する側壁部とで箱状に形成され、
前記対向部は、前記基板の前記コネクタと対向する部位に形成された露出孔を有し、
前記側壁部は、前記露出孔と連続するように形成された第１開口部を有し、
前記カバーの前記側面部は、前記支持体に前記カバーを取り付けた状態において前記第１開口部の一部と重なる第２開口部を有している
ことを特徴とする請求項１又は２に記載のセンサ装置。
【請求項４】
請求項１〜３のいずれか１項に記載のセンサ装置と、
前記センサ装置を保持する器具本体とを備えている
ことを特徴とする照明器具。
【発明の詳細な説明】
【技術分野】
【０００１】
本発明は、一般にセンサ装置及び照明器具に関し、より詳細には、物体の存在を検知するためのセンサ装置、及び当該センサ装置を備えた照明器具に関する。
【背景技術】
【０００２】
従来、プリント基板と、プリント基板を収納し保持するケースとを備えた照明器具が提供されている（例えば特許文献１参照）。ケースは、アルミニウム材からなる薄板を折り曲げることで箱状に形成されており、プリント基板を保持するための第１切り起こし片及び第２切り起こし片を有している。特許文献１に記載の照明器具では、ケースにプリント基板を収納させた後、第１切り起こし片と第２切り起こし片とでプリント基板を挟み込むことにより、プリント基板がケースに保持される。
【先行技術文献】
【特許文献】
【０００３】
【特許文献１】特開２００４−６１３４号公報
【発明の概要】
【発明が解決しようとする課題】
【０００４】
ところで、特許文献１に記載の照明器具では、ケースに収納されたプリント基板（基板）に対してその厚み方向から外力が加えられると、その外力によって基板が厚み方向に撓むが、上述のケースでは基板の撓みを抑えることができなかった。
【０００５】
本発明は上記課題に鑑みてなされており、ケースに収納された基板に対して外力が加えられた場合の基板の撓みを抑えることができるセンサ装置及び照明器具を提供することを目的とする。
【課題を解決するための手段】
【０００６】
本発明の一態様に係るセンサ装置は、ケースと、前記ケースに収納される基板とを備える。前記基板は、少なくともセンサ素子が実装される第１面と、前記第１面と反対側の面であって少なくとも外部からの給電を受けるためのコネクタが実装される第２面とを有する。前記ケースは、前記基板を支持する支持体と、前記支持体に支持された前記基板を覆うように前記支持体に取り付けられるカバーとを含む。前記支持体は、前記基板の周縁部において前記基板を支持する支持部を有する。前記カバーは、合成樹脂からなり、前記基板の前記第１面と対向する底面部と、前記底面部の端縁から前記基板側に突出する側面部とで箱状に形成される。前記底面部は、前記基板側に突出し前記支持体に前記カバーを取り付けた状態において前記基板の前記第１面に接触又は近接する１以上の突起部を有する。
【０００７】
本発明の一態様に係る照明器具は、上述のセンサ装置と、前記センサ装置を保持する器具本体とを備えている。
【発明の効果】
【０００８】
本発明によれば、ケースに収納された基板に対して外力が加えられた場合の基板の撓みを抑えることができる。
【図面の簡単な説明】
【０００９】
【図１】図１は、本発明の一実施形態に係るセンサ装置及び照明器具の斜視図である。
【図２】図２は、同上のセンサ装置の正面図である。
【図３】図３は、同上のセンサ装置の分解斜視図である。
【図４】図４Ａは、同上のセンサ装置の支持体の正面図、図４Ｂは平面図、図４Ｃは底面図、図４Ｄは右側面図である。
【図５】図５Ａは、同上のセンサ装置のカバーの正面図、図５Ｂは平面図、図５Ｃは底面図、図５Ｄは右側面図である。
【図６】図６は、同上のセンサ装置の断面図である。
【発明を実施するための形態】
【００１０】
以下、本発明の一実施形態について説明する。下記の実施形態は、本発明の様々な実施形態の一つに過ぎない。また、下記の実施形態は、本発明の目的を達成できれば、設計等に応じて種々の変更が可能である。
【００１１】
本実施形態の照明器具１０は、例えば建物に設けられた階段の踊り場の壁面に設置される。なお、以下の説明では特に断りのない限り、図１〜図６に示す矢印により、センサ装置１及び照明器具１０の上下、左右及び前後の各方向を規定する。すなわち、照明器具１０が踊り場の壁面に設置された状態を正面から見て、鉛直方向（上下方向）を上下方向とし、左右方向を左右方向とし、壁面の法線方向を前後方向とする。ただし、これらの方向はセンサ装置１及び照明器具１０の使用方向を規定する趣旨ではない。また、図１〜図６に示す矢印は、単に説明を補助する目的で記載しているに過ぎず、実体を伴わない。
【００１２】
本実施形態の照明器具１０は、図１に示すように、光源ユニット１１と、器具本体１２と、センサ取付台１３と、センサ装置１とを備えている。
【００１３】
光源ユニット１１は、カバー１１１と、光源１１２とを備えている。
【００１４】
カバー１１１は、透光性を有する合成樹脂（例えば、ポリカーボネート樹脂、アクリル樹脂等）により、後面が開口した箱状に形成されている。カバー１１１は、左右方向に長い長尺状である。
【００１５】
光源１１２は、左右方向に長い平板状の実装基板を有している。実装基板の一面（前面）には、複数のＬＥＤ（発光ダイオード）が左右方向（実装基板の長手方向）に沿って等間隔に実装されている。
【００１６】
これらのカバー１１１及び光源１１２は、取付部材に取り付けられ、取付部材を介して器具本体１２に取り付けられる。取付部材は、左右方向に長い平板状の底板と、底板の幅方向（上下方向）における両端から後方に突出する一対の側板とで、左右方向から見た形状がＵ字状に形成されている。光源１１２は、取付部材の底板の一面（前面）に取り付けられる。カバー１１１は、光源１１２を覆うようにして取付部材に取り付けられる。取付部材には、制御ユニットと電源ユニットとが更に取り付けられる。
【００１７】
制御ユニットは、電源から電力が供給されることで動作し、センサ装置１から入力される検知信号（後述する）に応じて、光源１１２の点灯・消灯を制御するように構成されている。制御ユニットは、例えば、センサ装置１からの検知信号が入力されている状態では、光源１１２を点灯させるように指示する制御信号を電源ユニットに出力することにより、光源１１２を点灯させる。また、制御ユニットは、センサ装置１からの検知信号が入力されなくなってから所定の待機時間（例えば、数十秒）が経過すると、光源１１２を消灯又は調光させるように指示する制御信号を電源ユニットに出力することにより、光源１１２を消灯又は調光させる。ここに、「点灯」とは、１００％の調光レベルで光源１１２を点灯させることをいい（つまり全点灯）、「調光」とは、０％よりも大きく、かつ１００％よりも小さい調光レベルで光源１１２を点灯させることをいう。つまり、本実施形態では、制御ユニットに検知信号が入力されなくなると、光源１１２が暗くなるように構成されている。
【００１８】
電源ユニットは、電源から供給される交流電力を直流電力に変換し、変換した直流電力を光源１１２に供給するように構成されている。また、電源ユニットは、制御ユニットからの制御信号に応じて、光源１１２に供給する直流電力を増減するように構成されている。電源ユニットは、例えば、制御ユニットから点灯を指示する制御信号が入力されると、光源１１２の点灯に必要な直流電力を光源１１２に供給する。また、電源ユニットは、制御ユニットから消灯を指示する制御信号が入力されると、光源１１２への直流電力の供給を停止する。
【００１９】
器具本体１２は、例えば金属板が曲げ加工されることで、前面が開口した長尺の箱状に形成されている。器具本体１２は、左右方向に長い平板状の背板と、背板の幅方向（短手方向）における両端からそれぞれ前方に突出する上板及び下板と、背板の長手方向における両端からそれぞれ前方に突出する左側板及び右側板とを有している。器具本体１２の背板には、複数の孔が左右方向に沿って設けられている。そして、器具本体１２は、踊り場の壁面から突出する複数のアンカーボルトをそれぞれ対応する孔に通した後、各アンカーボルトにナットを締め付けることで、壁面に固定される。
【００２０】
センサ装置１は、例えばミリ波帯の電波を媒体として物体の移動を検知するように構成された電波センサである。本実施形態では、センサ装置１は、周波数が２４〔ＧＨｚ〕の電波を媒体として物体の移動を検知する。また、本実施形態では、センサ装置１が検知対象とする物体は、例えば階段への出入口に設けられた扉、及び扉を開けて踊り場に出入りする人である。
【００２１】
ここに、本実施形態では、センサ装置１は、ドップラー効果を応用したドップラー式の電波センサであり、センサ素子６（図６参照）から送信される電波（送信波）と、センサ素子６で受信する電波（反射波）との周波数差を利用して物体の移動を検知する。センサ装置１は、図１に示すように、センサ取付台１３を介して器具本体１２の下板の左右方向における中央に取り付けられる。言い換えると、器具本体１２は、センサ取付台１３を介してセンサ装置１を保持するように構成されている。
【００２２】
センサ装置１は、図２及び図３に示すように、ケース４と、ケース４に収納される基板５とを備えている。
【００２３】
ケース４は、基板５を支持する支持体２と、支持体２に支持された基板５を覆うように支持体２に取り付けられるカバー３とを含む。
【００２４】
支持体２は、例えばポリスチレン（polystyrene）、ポリプロピレン（polypropylene）、ＡＢＳ（Acrylonitrile Butadiene Styrene）等の合成樹脂により、後面が開口する箱状に形成されている。支持体２は、図４Ａ〜図４Ｄに示すように、対向部２１と、一対の第１側壁部２２と、一対の第２側壁部２３，２４とを有している。対向部２１は、左右方向に長い平板状である。一対の第１側壁部２２は、対向部２１の左右方向（長手方向）の両端から後方に突出している。一対の第２側壁部２３，２４は、対向部２１の上下方向（短手方向）の両端から後方に突出している。ここに、本実施形態では、一対の第１側壁部２２と、一対の第２側壁部２３，２４とで側壁部が構成されている。
【００２５】
対向部２１の前面における外周縁には、前方に突出する複数（図示例では７つ）の支持部２１１が周方向に沿って間隔を空けて設けられている。複数の支持部２１１の各々の先端（前端）には段差が設けられており、これらの段差に基板５の周縁部を載せることにより基板５が支持体２に支持される。また、対向部２１の下側かつ左側の位置には、前後方向（対向部２１の厚み方向）に貫通する矩形の露出孔２１２が設けられている。この露出孔２１２は、支持体２に基板５を支持させた状態において、基板５の第２面５２に実装されたコネクタ７（後述する）と対向する位置に設けられている（図３参照）。したがって、支持体２に基板５を支持させた状態では、コネクタ７は露出孔２１２内に配置される。
【００２６】
一方（下側）の第２側壁部２３には、小開口部２３１ａと大開口部２３１ｂとで構成される第１開口部２３１が設けられている。小開口部２３１ａは、上下方向から見た形状が矩形状であり、対向部２１に設けられた露出孔２１２と連続するように形成されている。大開口部２３１ｂは、上下方向から見た形状が矩形状であり、上下方向において小開口部２３１ａと連続するように形成されている。大開口部２３１ｂは、小開口部２３１ａよりも開口面積が大きい。小開口部２３１ａの右側には、引掛溝２３２と解除溝２３３とが左右方向に並ぶように設けられている。引掛溝２３２は、上下方向から見た形状が矩形状であり、後端部において大開口部２３１ｂと連続するように形成されている。引掛溝２３２は、支持体２にカバー３が取り付けられた状態において、カバー３の第２側面部３３に設けられた突起３３２（後述する）が引っ掛けられる。解除溝２３３は、上下方向から見た形状が矩形状であり、支持体２からカバー３を取り外す際に解除用治具（第２解除用治具）が差し込まれる。
【００２７】
他方（上側）の第２側壁部２４の左側には、前後方向に長い矩形の引掛溝２４１が設けられている。引掛溝２４１は、支持体２にカバー３が取り付けられた状態において、カバー３の第２側面部３４に設けられた突起３４１（後述する）が引っ掛けられる。
【００２８】
カバー３は、支持体２と同様に、ポリスチレン、ポリプロピレン、ＡＢＳ等の合成樹脂により、後面が開口する箱状に形成されている。カバー３は、図５Ａ〜図５Ｄに示すように、底面部３１と、一対の第１側面部３２と、一対の第２側面部３３，３４とを有している。底面部３１は、左右方向に長い平板状である。一対の第１側面部３２は、底面部３１の左右方向（長手方向）の両端から後方に突出している。一対の第２側面部３３，３４は、底面部３１の上下方向（短手方向）の両端から後方に突出している。ここに、本実施形態では、一対の第１側面部３２と、一対の第２側面部３３，３４とで側面部が構成されている。
【００２９】
底面部３１の後面における外周縁には、後方に突出する複数（図示例では６つ）の支持突起３１１が周方向に沿って間隔を空けて設けられている。これら複数の支持突起３１１は、支持体２にカバー３が取り付けられた状態において基板５の第１面５１に接触し、支持体２の複数の支持部２１１とともに基板５を支持するように構成されている（図６参照）。また、底面部３１の後面における中央寄りの位置には、左右方向に並べて配置された一対の突台部３１２が設けられている。これら一対の突台部３１２は、支持体２にカバー３が取り付けられた状態において基板５の第１面５１に実装されたセンサ素子６と対向する（図６参照）。また、底面部３１の後面における一対の突台部３１２の右側には、前後方向（底面部３１の厚み方向）に凹む凹部３１４が設けられている。凹部３１４は、上下方向に長い矩形状であり、支持体２にカバー３が取り付けられた状態において、基板５に実装された赤外線受光素子８（後述する）と対向する。さらに、底面部３１の後面には、前後方向から見た形状が十字状であり、後方に突出する突起部３１３が設けられている。突起部３１３は、支持体２にカバー３が取り付けられた状態において、基板５の第２面５２に実装されたコネクタ７と前後方向に重なる。このように、突起部３１３の形状を十字状にすることにより、突起部の形状が角柱状である場合に比べて、強度を保ちながらも成形に必要な樹脂の量を少なくすることができる。
【００３０】
一対の第１側面部３２の各々の後端部には、外向き（左向き又は右向き）に突出する矩形の取付片３２１が設けられている。これらの取付片３２１は、センサ装置１をセンサ取付台１３に取り付ける際に用いられる。
【００３１】
一方（下側）の第２側面部３３には、第２開口部３３１が設けられている。第２開口部３３１は、上下方向から見た形状が矩形状であり、支持体２に設けられた大開口部２３１ｂと開口面積がほぼ等しい。したがって、支持体２にカバー３が取り付けられた状態では、第１開口部２３１の大開口部２３１ｂと第２開口部３３１とが上下方向において重なる。また、第２側面部３３の内周面（上面）における右側の後端部には、内向きに突出する突起３３２が設けられている。突起３３２は、支持体２にカバー３が取り付けられた状態では、支持体２の第２側壁部２３に設けられた引掛溝２３２の前端縁に引っ掛かる。
【００３２】
他方（上側）の第２側面部３４には、内向きに突出する突起３４１が設けられている。突起３４１は、第２側面部３４の内周面（下面）における左側で、かつ前後方向の中央に設けられている。突起３４１は、支持体２にカバー３が取り付けられた状態では、支持体２の第２側壁部２４に設けられた引掛溝２４１の前端縁に引っ掛かる。ここに、突起３３２と突起３４１とは、前後方向において同じ位置で、かつ底面部３１の中心に対して点対称な位置に設けられている。
【００３３】
基板５は、図３に示すように、左右方向に長い平板状のプリント基板であり、第１面５１と第２面５２とを有している。基板５の前面となる第１面５１には、センサ素子６と赤外線受光素子８とが左右方向に並べて実装されている。センサ素子６は、第１面５１の左右方向における中央寄りに位置し、赤外線受光素子８は、第１面５１の左右方向における右寄りに位置している（図６参照）。基板５の後面となる第２面５２には、外部からの給電を受けるためのコネクタ７が実装されている。コネクタ７は、第２面５２の左右方向における左側で、かつ下側に位置している（図３参照）。
【００３４】
センサ素子６は、電波を送信する送信アンテナと、電波を受信する受信アンテナとを有している。このように、送信アンテナと受信アンテナとが一体に構成されている場合、送信アンテナと受信アンテナとの電界結合が強く、送信アンテナから送信される電波が受信アンテナに直接入射する可能性がある。本実施形態では、送信アンテナと受信アンテナとの電界結合を弱めるために、カバー３の底面部３１においてセンサ素子６と対向する位置に一対の突台部３１２を設けている。この場合、一対の突台部３１２の各々と、送信アンテナ又は受信アンテナとの電界結合が強くなることで、送信アンテナと受信アンテナとの電界結合を弱めることができる。ただし、この場合には、比誘電率が相対的に低い合成樹脂（例えばＡＢＳ）によりカバー３が形成されていることが好ましい。
【００３５】
コネクタ７は、外部からの給電を受けるための受電側コネクタであり、電線を介して外部電源に電気的に接続された給電側コネクタが電気的に接続されることで給電される。コネクタ７は、センサ装置１が組み立てられた状態において、支持体２の対向部２１に設けられた露出孔２１２内に配置されている。したがって、作業者は、露出孔２１２を通して露出するコネクタ７に対して給電側コネクタを接続することになる。
【００３６】
赤外線受光素子８は、作業者等によって操作されるリモコンからの赤外線信号を受信するように構成されている。赤外線信号には、センサ装置１の機能に関する設定内容（例えば、電波センサの受信感度等）が含まれている。本実施形態では、カバー３の底面部３１において赤外線受光素子８と対向する部位に凹部３１４を設けることで、当該部位の厚みを薄くしており、これによりリモコンからの赤外線信号を受信しやすくなっている。
【００３７】
次に、センサ装置１の組立手順について説明する。支持体２の対向部２１と基板５の第２面５２とが対向するように基板５の向きを調整して基板５を支持体２に支持させる。このとき、基板５は、対向部２１から突出する複数の支持部２１１が第２面５２の周縁部に接触することによって、対向部２１との間に間隔を空けた状態で支持される。続けて、支持体２にカバー３を取り付けることで、センサ装置１が組み立てられる。このとき、支持体２に設けられた第１開口部２３１とカバー３に設けられた第２開口部３３１とが同じ向き（下向き）となるようにした状態で、支持体２にカバー３が取り付けられる。支持体２にカバー３が取り付けられた状態では、第１開口部２３１の一部である大開口部２３１ｂと第２開口部３３１とが上下方向において重なっている。また、支持体２にカバー３が取り付けられた状態では、突起３３２が引掛溝２３２の前端縁に引っ掛かり、突起３４１が引掛溝２４１の前端縁に引っ掛かる。さらに、支持体２にカバー３が取り付けられた状態では、基板５は、支持体２側の複数の支持部２１１とカバー３側の複数の支持突起３１１とで前後方向に挟まれており、これにより基板５がケース４に保持される。
【００３８】
ところで、上述した従来の照明器具において、プリント基板の撓みを抑えるために、プリント基板を下側から支える支持ピンをケースに設けることも考えられるが、ケースが金属製であるため、支持ピンがプリント基板に接触することで、短絡等の不具合が生じる可能性がある。そのため、上述した従来の照明器具において、プリント基板を支持するための支持ピンをケースに設けることはできない。
【００３９】
図６は、基板５を支持する支持体２にカバー３が取り付けられた状態の断面図である。この状態では、基板５は、支持体２に設けられた複数の支持部２１１とカバー３に設けられた複数の支持突起３１１とで保持されている。また、この状態では、基板５の第２面５２に実装されたコネクタ７は、支持体２の対向部２１に設けられた露出孔２１２内に配置されている。さらに、この状態では、カバー３の底面部３１から突出する突起部３１３は、基板５の第１面５１に接触している。
【００４０】
ところで、基板５に実装されたコネクタ７には、上述したように、外部電源に電気的に接続された給電側コネクタが接続される。このとき、本実施形態の支持体２及びカバー３のように、前後方向の寸法（深さ寸法）が大きい場合、コネクタ７までの距離が長く、作業性がよくないため、給電側コネクタとコネクタ７との間で接触不良が起こる可能性がある。そこで、本実施形態では、上述したように、支持体２に第１開口部２３１を設け、かつカバー３に第２開口部３３１を設けている。これらの第１開口部２３１及び第２開口部３３１を設けることで、コネクタ７までの距離を短くすることができ、その結果、給電側コネクタの接続作業性が低下するのを抑えることができ、さらに給電側コネクタとコネクタ７との間の接触不良も抑えることができる。
【００４１】
ここで、本実施形態のセンサ装置１では、センサ装置１を組み立てた後で、例えば基板５の不良等によって基板５を交換する場合が想定される。この場合、支持体２からカバー３を取り外して、基板５を交換しなければならない。以下、支持体２からカバー３を取り外す方法について説明する。
【００４２】
まず、作業者は、支持体２に設けられた引掛溝２４１に第１解除用治具（例えばマイナスドライバ）を差し込んでカバー３の第２側面部３４を外向きに撓ませて、突起３４１が引掛溝２４１の前端縁に引っ掛かった状態を解除する。この状態のまま、作業者は、支持体２に設けられた解除溝２３３に第２解除用治具（例えばマイナスドライバ）を差し込み、第２解除用治具の先端を回転中心として第２解除用治具を外向きに回転させる。その結果、突起３３２が引掛溝２３２に引っ掛かった状態が解除され、支持体２からカバー３を取り外すことができる。すなわち、本実施形態のセンサ装置１によれば、第１解除用治具及び第２解除用治具を用いることによって、支持体２からカバー３を簡単に取り外すことができる。
【００４３】
以下、本実施形態のセンサ装置１の変形例について説明する。
【００４４】
上述の実施形態では、カバー３の底面部３１に設けられた突起部３１３が１つの場合を例として説明したが、突起部は１つ以上設けられていればよい。ただし、突起部が２つ以上設けられている場合、少なくとも１つは、基板５の厚み方向において基板５の第２面５２に実装されたコネクタ７に重なる位置、又はコネクタ７の近傍となる位置に設けられていることが好ましい。
【００４５】
また、上述の実施形態では、センサ装置１が電波センサである場合を例として説明したが、センサ装置１は電波センサに限らず、例えば赤外線を利用した赤外線センサであってもよいし、超音波を利用した超音波センサであってもよい。
【００４６】
また、上述の実施形態では、ケース４に含まれている支持体２及びカバー３の両方が合成樹脂により形成されているが、少なくともカバー３が合成樹脂により形成されていればよい。したがって、支持体２については、合成樹脂に限らず、金属材料により形成されていてもよい。
【００４７】
また、上述の実施形態では、複数の支持部２１１により基板５を支持するように構成されているが、支持部の構成は本実施形態に限らず、基板５の周縁部において基板５を支持するように構成されていればよい。例えば、対向部２１の全周を取り囲むように形成された周壁部によって基板５を支持するように構成されていてもよい。
【００４８】
また、上述の実施形態では、突起部３１３が基板５の第１面５１に接触している場合を例として説明したが、突起部３１３は第１面５１に近接していてもよい。この場合、突起部３１３は、給電側コネクタをコネクタ７に接続する際に加えられる力によって基板５が撓んだ際に、基板５の第１面５１が突起部３１３に接触する程度に近接していることが好ましい。
【００４９】
さらに、上述の実施形態では、突起部３１３が、基板５の厚み方向においてコネクタ７に重なる位置に設けられている場合を例として説明したが、突起部３１３は、基板５の厚み方向においてコネクタ７の近傍となる位置に設けられていてもよい。ここに、コネクタ７の近傍とは、給電側コネクタをコネクタ７に接続する際に加えられる力を突起部３１３が受けることのできる位置である。
【００５０】
また、上述の実施形態では、基板５の第１面５１にセンサ素子６と赤外線受光素子８とが実装されているが、少なくともセンサ素子６が第１面５１に実装されていればよい。したがって、センサ素子６のみが第１面５１に実装されていてもよいし、センサ素子６と他の電子部品とが第１面５１に実装されていてもよい。さらに、本実施形態では、基板５の第２面５２にコネクタ７が実装されているが、少なくともコネクタ７が第２面５２に実装されていればよい。したがって、コネクタ７と他の電子部品とが第２面５２に実装されていてもよい。
【００５１】
また、上述の実施形態では、カバー３の全体を比誘電率の低い合成樹脂で形成しているが、送信アンテナと受信アンテナとの電界結合を弱めることができればよく、少なくとも一対の突台部３１２が比誘電率の低い合成樹脂で形成されていればよい。
【００５２】
以上述べた実施形態から明らかなように、第１の態様のセンサ装置１は、ケース４と、ケース４に収納される基板５とを備える。基板５は、少なくともセンサ素子６が実装される第１面５１と、第１面５１と反対側の面であって少なくとも外部からの給電を受けるためのコネクタ７が実装される第２面５２とを有する。ケース４は、基板５を支持する支持体２と、支持体２に支持された基板５を覆うように支持体２に取り付けられるカバー３とを含む。支持体２は、基板５の周縁部において基板５を支持する支持部２１１を有する。カバー３は、合成樹脂からなり、基板５の第１面５１と対向する底面部３１と、底面部３１の端縁から基板５側に突出する側面部（第１側面部３２及び第２側面部３３，３４）とで箱状に形成される。底面部３１は、基板５側に突出し支持体２にカバー３を取り付けた状態において基板５の第１面５１に接触又は近接する１以上の突起部３１３を有する。
【００５３】
第１の態様によれば、基板５の第１面５１に接触又は近接する１以上の突起部３１３を基板５の第１面５１と対向するカバー３の底面部３１に設けている。そのため、基板５をケース４に収納させた状態において、基板５に対してその厚み方向から外力が加えられた場合でも、突起部３１３によって基板５がその厚み方向に撓むのを抑えることができる。
【００５４】
第２の態様のセンサ装置１では、第１の態様において、１以上の突起部３１３のうち少なくとも１つは、基板５の厚み方向においてコネクタ７に重なる位置又はコネクタ７の近傍となる位置に設けられている。
【００５５】
第２の態様によれば、少なくとも１つの突起部３１３がコネクタ７に重なる位置又はコネクタ７の近傍となる位置に設けられているので、外部からの給電側コネクタをコネクタ７に接続する際に基板５に生じる撓みを突起部３１３により抑えることができる。ただし、この構成はセンサ装置の必須の構成ではなく、全ての突起部３１３が、基板５の厚み方向においてコネクタ７に重なる位置及びコネクタ７の近傍となる位置を除いた位置に設けられていてもよい。
【００５６】
第３の態様のセンサ装置１では、第１又は２の態様において、支持体２は、基板５の第２面５２と対向する対向部２１と、対向部２１の端縁から基板５と反対側に突出する側壁部（第１側壁部２２及び第２側壁部２３，２４）とで箱状に形成される。対向部２１は、基板５のコネクタ７と対向する部位に形成された露出孔２１２を有する。側壁部（第２側壁部２３）は、露出孔２１２と連続するように形成された第１開口部２３１を有する。カバー３の側面部（第２側面部３３）は、支持体２にカバー３を取り付けた状態において第１開口部２３１の一部と重なる第２開口部３３１を有する。
【００５７】
第３の態様によれば、支持体２の側壁部（第２側壁部２３）に第１開口部２３１を設け、かつカバー３の側面部（第２側面部３３）に第２開口部３３１を設けている。そのため、支持体２及びカバー３の深さが深い場合でも第１開口部２３１及び第２開口部３３１を通して、外部からの給電側コネクタをコネクタ７に接続することができ、作業性の低下を抑えることができる。ただし、この構成はセンサ装置の必須の構成ではなく、作業性の低下を考慮しなければ、第１開口部２３１及び第２開口部３３１が設けられていなくてもよい。
【００５８】
第４の態様の照明器具１０は、センサ装置１と、センサ装置１を保持する器具本体１２とを備えている。
【００５９】
第４の態様によれば、上述のセンサ装置１を用いることによって、ケース４に収納された基板５に対して外力が加えられた場合の基板５の撓みを抑えることができる。
【符号の説明】
【００６０】
１  センサ装置
２  支持体
２１  対向部
２１１  支持部
２１２  露出孔
２２  第１側壁部（側壁部）
２３，２４  第２側壁部（側壁部）
２３１  第１開口部
３  カバー
３１  底面部
３１３  突起部
３２  第１側面部（側面部）
３３，３４  第２側面部（側面部）
３３１  第２開口部
４  ケース
５  基板
５１  第１面
５２  第２面
６  センサ素子
７  コネクタ
１０  照明器具
１２  器具本体
【図１】
2018100909.tif 000003
【図２】
2018100909.tif 000004
【図３】
2018100909.tif 000005
【図４】
2018100909.tif 000006
【図５】
2018100909.tif 000007
【図６】
2018100909.tif 000008